(57)【要約】      （修正有）【課題】シート状の表示部を備える標識体において、暗所においてより明瞭に視認することができる標識体を提供する。【解決手段】表示部２に、２００ルクス（ｌｘ）の外光を２０分間照射した際に、１時間経過後に８０ｍｃｄ／ｍ２以上の輝度で発光を持続する蓄光体が用いられる。蓄光体はガラスコーティングされていることが好ましい。又、プラスチック材で構成され、内部を中空とすることにより一体に構成される貯水部と、貯水部に水を供給するための給水口とを有する本体３を備えることが好ましい。本体３は索条の一端を係止可能な係止部３４ａを備え、係止部３４ａに蓄光体を備える索条の一端を係止させ、索条の他端は間隔を存して隣接する他の標識体１０の本体３の係止部３４ａに係止自在とされることが好ましい。又、表示部２に広告を表示し、表示部２を車止めに設けてもよい。【選択図】図１
0003131116.tif 000002
【実用新案登録請求の範囲】
【請求項１】
シート状の表示部を備える標識体において、
表示部には、２００ルクス（ｌｘ）の外光を２０分間照射し、１時間経過後に８０ｍｃｄ／ｍ２以上の輝度で発光を持続する蓄光体が用いられていることを特徴とする標識体。
【請求項２】
前記蓄光体は、粒状であり、ガラスコーティングされていることを特徴とする請求項１に記載の標識体。
【請求項３】
プラスチック材で構成され、内部を中空とすることにより一体に構成される貯水部と、貯水部に水を供給するための給水口とを有する本体を備え、
前記表示部は、本体に固定されていることを特徴とする請求項１又は請求項２に記載の標識体。
【請求項４】
前記本体は索条の一端を係止可能な係止部を備え、係止部に前記蓄光体を備える索条の一端を係止させ、索条の他端は間隔を存して隣接する他の標識体の本体の係止部に係止自在とされていることを特徴とする請求項３に記載の標識体。
【請求項５】
前記表示部には広告が表示され、
前記表示部は、駐車場に設置される車止めに設けられていることを特徴とする請求項１又は請求項２に記載の標識体。
【考案の詳細な説明】
【技術分野】
【０００１】
本考案は、シート状の表示部を備える標識体、例えば、非常口案内標識や道路標識、広告看板に関する。
【背景技術】
【０００２】
従来、夜間等の暗所においても電力を必要とせずに発光する蓄光体を表示部に用いた非常口案内標識などの標識体が知られている。（例えば、特許文献１参照。）。
【０００３】
従来の蓄光体は、２００ルクス（ｌｘ）の外光を２０分間照射すると、１時間経過後に７ｍｃｄ／ｍ２程度で発光を持続するものが一般的である。人間は暗所において３ｍｃｄ／ｍ２の輝度を認識できるとされており、従来の蓄光体であっても人間は暗所において標識体を視認することは可能である。
【０００４】
しかしながら、より明瞭に視認できる蓄光体を備えた標識体が望まれる。
【特許文献１】実用新案登録第３０６６９６７号公報（第４頁、第５頁、第１図）
【考案の開示】
【考案が解決しようとする課題】
【０００５】
本考案は、以上の点に鑑み、暗所においてより明瞭に視認することができる標識体を提供することを目的とする。
【課題を解決するための手段】
【０００６】
上記目的を達成するため、本考案は、シート状の表示部を備える標識体において、表示部には、２００ルクス（ｌｘ）の外光を２０分間照射し、１時間経過後に８０ｍｃｄ／ｍ２以上の輝度で発光を持続する蓄光体が用いられていることを特徴とする。
【０００７】
係る考案によれば、表示部に２００ルクス（ｌｘ）の外光を２０分間照射し、１時間経過後に８０ｍｃｄ／ｍ２以上の輝度で発光を持続する蓄光体が用いられているため、従来品と比較してより明瞭に標識体を視認することができる。このような蓄光体は、例えば、株式会社エム・ケー・ケーから購入することができる。
【０００８】
又、本考案においては、粒状であると共に、ガラスコーティングされた蓄光体を用いることが好ましい。
【０００９】
蓄光体は水にさらされると発光性能が低下するという性質をもつ。このため、従来の標識体では蓄光体の層の上にプラスチックシートを貼り付け蓄光体が雨や水蒸気等の水にさらされないように構成する必要があった。しかしながら、これでは部品点数も多く、標識体を製造する際にプラスチックシートを貼り付ける等の工程が必要であるため、標識体の製造が複雑である。
【００１０】
この場合、本考案の如く、表示部に用いられる蓄光体を粒状とし、ガラスコーティングすれば、蓄光体が耐水性に優れ、蓄光体が水にさらされても適切な発光性能を維持し易くなる。従って、従来品の様に表示部の表面に耐水性を向上させるためのプラスチックシートを貼り付ける必要がなく部品点数を少なくすることができ、標識体の製造が簡易となる。ガラスコーティングされた蓄光体は、例えば、株式会社エム・ケー・ケーから購入することができる。
【００１１】
又、本考案においては、プラスチック材で構成され、ブロー成形等で内部を中空とすることにより一体に構成される貯水部と、貯水部に水を供給するための給水口とを有する本体を備え、表示部を本体に固定すれば、貯水部に給水口を介して水を入れることにより、水の重みで風等により標識体が倒れることを防止することができる。
【００１２】
又、本考案においては、本体にロープやチェーン等の索条の一端を係止可能な係止部を設け、係止部に前記蓄光体を備える索条の一端を係止させ、索条の他端を間隔を存して隣接する他の標識体の本体の係止部に係止自在とすれば、標識体間の索条も発光するため、標識体の視認性を向上させることができる。
【００１３】
又、本考案は、表示部に広告を表示し、表示部を駐車場に設置される車止めに設ければ、夜間に駐車する際に車止めをはっきりと視認することができると共に、車止めに表示された広告表示を明瞭に視認することができる。又、これにより、車止めの広告による収入も期待することができる。
【考案を実施するための最良の形態】
【００１４】
本考案の実施の形態を図１から図４を参照して説明する。図１は本考案の標識体の第１実施形態を示す説明図、図２は第１実施形態の断面図、図３は第１実施形態の表示部の拡大断面図、図４は第１実施形態の使用状態図、図５は本考案の標識体の第２実施形態の説明図、図６は第２実施形態の断面図である。
【００１５】
図１に示す様に、本考案の第１実施形態の標識体１０は、表示部２に駐車禁止マークを表示し、建物の前などの駐車禁止エリアに配置されるものである。標識体１０は、本体３と、本体３に貼り付け固定されたシート状の表示部２とからなる。
【００１６】
本体３は、プラスチック製であり、矩形状の前面３１と背面３２と底面３３と、三角形状の左右の側面３４とを備え、ブロー成形により中空に形成される。図２に断面で示すように、背面３２には給水口３２ａが設けられている。給水口３２ａから本体３内に水を入れることにより本体３の内部が貯水部３ａとして機能する。これにより、風や自動車の接触などによる標識体１０の転倒を防止することができる。又、給水口３２ａは水を入れないときはキャップ３２ｂにより閉塞されている。
【００１７】
前面３１には矩形状の凹部３１ａが形成されている。この凹部３１ａにシート状の表示部２が貼り付けられている。表示部２は、図３に断面で示す様に、ガラスコーティングされた粒状の蓄光体を含有する基部２１を備える。蓄光体としては、２００ルクス（ｌｘ）の外光を２０分間照射し、１時間経過後に８０ｍｃｄ／ｍ２以上の輝度で発光を持続する性能を有するものが用いられている。本実施形態においては、株式会社エム・ケー・ケーの蓄光体を用いた。
【００１８】
基部２１の表面には駐車禁止マークの表示２２が印刷されている。基部２１の裏面には粘着層２３が形成され、これにより基部２１は前面３１の凹部３１ａに貼り付け固定されている。尚、表示部２は粘着層２３を備えていなくてもよく、この場合、基部２１が凹部３１ａに嵌合する様に構成して固定すればよい。又、駐車禁止マークの表示２２を印刷する塗料に蓄光体を含有させてもよい。
【００１９】
又、側面３４の上方部には半円状の輪部３４ａが設けられている。第１実施形態の標識体１０は駐車禁止エリアに間隔を存して複数設置する場合には、隣接する標識体１０間に索条としてのチェーン４を設ける場合がある。この場合、図４に示すように、側面３４に設けられた輪部３４ａにチェーン４の一端を係止させ、他端を隣接する標識体１０の輪部３４ａに係止させる。チェーン４の両端にはフック４ａが設けられ、フック４ａを輪部３４ａに引っ掛けることによりチェーン４と本体３とが係合する。第１実施形態においては、輪部３４ａが係止部に該当する。尚、本考案の係止部としては輪部３４ａに限られず、例えば、フックでもよい。
【００２０】
チェーン４はガラスコーティングされた粒状の蓄光体を含有するプラスチック材で構成されている。これにより、チェーン４自体が光を吸収して発光するため、暗所においても駐車禁止エリアの視認性を向上させることができる。尚、第１実施形態としては、索条としてチェーン４を用いているが、本考案の索条としてはこれに限られず、例えば、ガラスコーティングされた粒状の蓄光体を備えるロープであってもよい。
【００２１】
図５は本考案の第２実施形態の標識体１１を示したもので、駐車場に設置される車止めである。標識体１１（車止め）には、図６に断面で示す様に、長手の両側面にそれぞれ凹部３１ａが形成され、この凹部３１ａに広告が表示されたシート状の表示部２が貼り付けられている。表示部２の構成は表面に広告の表示が印刷されている点を除いて第１実施形態と同様である。これにより、夜間に駐車する際に表示部２が発光し標識体１１（車止め）をはっきりと視認することができると共に、標識体１１に表示された広告表示を明瞭に視認することができる。又、表示部２が発光して目立つため、駐車場で表示部２の広告による収入も期待することができる。
【００２２】
本考案の両実施形態によれば、表示部２に、２００ルクス（ｌｘ）の外光を２０分間照射し、１時間経過後に８０ｍｃｄ／ｍ２以上の輝度で発光を持続する蓄光体が用いられているため、従来品と比較してより明瞭に標識体を視認することができる。
【００２３】
又、蓄光体がガラスコーティングされているため耐水性に優れ、蓄光体が雨などにより水にさらされても適切な発光性能を維持し易くなる。従って、従来品の様に表示部２の表面に耐水性を向上させるためのプラスチックシートを貼り付ける必要がなく部品点数を少なくすることができ、標識体１０，１１の製造が簡易化される。
【００２４】
又、粒状の蓄光体がガラスコーティングされているため、表示部２に入射する光が蓄光体表面のガラスコーティング層で屈折し、蓄光体が光を吸収し易くなる。このため、両実施形態の蓄光体は、短時間で十分に光を吸収することができ、暗所において１０時間以上発光し続けることができる。
【００２５】
尚、第２実施形態においては、長手の両側面にそれぞれ凹部３１ａを形成し、この凹部３１ａに広告が表示されたシート状の表示部２が貼り付けられたものを説明したが、長手の一方の側面にのみ凹部３１ａを形成し、この凹部３１ａに表示部２を貼り付ける様に構成してもよい。
【００２６】
又、本考案の標識体としては、表示部２に非常口の案内を表示してもよく、これによれば、災害時に停電していても非常口の案内を表示する表示部２を暗所においても明瞭に視認できる様になり、迅速に避難することが可能となる。この場合、本体３はなくてもよく、直接、壁面等に表示部２を貼り付ける等して本考案の標識体としてもよい。
【００２７】
又、本考案の標識体としては、ガスライターであってもよく、この場合、本体をガスライターのガスタンクとし、ガスタンクの外周面に表示部を設ける様に構成すればよい。このとき、ガスタンクをガラスコーティングされた蓄光体を含有するプラスチック材で構成してもよい。
【図面の簡単な説明】
【００２８】
【図１】本考案の標識体の第１実施形態を示す説明図。
【図２】本考案の第１実施形態の断面図。
【図３】本考案の第１実施形態の表示部の拡大断面図。
【図４】本考案の第１実施形態の使用状態図。
【図５】本考案の標識体の第２実施形態の説明図。
【図６】本考案の第２実施形態の断面図。
【符号の説明】
【００２９】
１０…標識体、  １１…車止め（標識体）、  ２…表示部、  ２１…基部、  ２２…表示、  ２３…粘着層、  ３…本体、  ３ａ…貯水部、  ３１…前面、  ３１ａ…凹部、  ３２…背面、３２ａ…給水口、  ３３…底面、  ３４…側面、  ３４ａ…輪部（係止部）、  ４…チェーン（索条）、  ４ａ…フック。
【図１】
0003131116.tif 000003
【図２】
0003131116.tif 000004
【図３】
0003131116.tif 000005
【図４】
0003131116.tif 000006
【図５】
0003131116.tif 000007
【図６】
0003131116.tif 000008